(57)【要約】【課題】薄肉ボトルの肩部と胴部との境界周囲を指掛かりを有する掴持部に形成して確実に掴持できるようにし、持ち運びや内容液の注ぎ出しを容易に行えるようにする。【解決手段】薄肉ボトル１の注ぎ口２と一体の肩部３と胴部４との境界周囲を段部５に形成する。段部５と段部上方の肩部側壁とを環状リブ６，７に形成して両リブ間を帯状の掴持部８となす。掴持部８を環状リブ１２により補強して対称位置に指掛かりとなる複数の凹所１０を凹設する。【選択図】　　図１
2004001847.tif 000002
【特許請求の範囲】
【請求項１】
延伸ブロー成形により製造された樹脂製薄肉ボトルにおいて、注ぎ口と一体の肩部と、その下側に連なる胴部との境界周囲を段部に形成し、その段部と段部上方の肩部側壁とを環状リブに形成して両リブ間を帯状の掴持部となし、その掴持部を環状リブにより補強して対称位置に指掛かけとなる複数の凹所を凹設してなることを特徴とする樹脂製薄肉ボトル。
【請求項２】
上記凹所は、横長楕円形の周縁の面内に両側から弯曲して凹設され、その縦断面は弧状で中央部に同心円の複数の環状リブを有することを特徴とする請求項１記載の樹脂製薄肉ボトル。
【発明の詳細な説明】
【０００１】
【発明の属する技術分野】
この発明は、延伸ブロー成形により製造された包装用の樹脂製薄肉ボトルに関するものである。
【０００２】
【発明が解決しようとする課題】
ＰＥＴボトルとして知られている肩部及び胴部が薄肉のボトルは、射出成形されたプリフォームを、軸方向の延伸とブローエアによる膨張とにより注ぎ口を除き薄肉に成形して製造されていることから、ダイレクトブロー成形による厚肉のボトルとは異なって、ボトル側部に把手を一体成形することが難しく、現状ではポリエチレン等の異材質の把手をインサート成形又は後付けで取付けるか、薄肉ボトルの胴側部を掴み持てるように変形するかの何れかであった。それ以外としては、肩部と胴部との境界周囲に形成したくびれ部を利用して掴み持っようにしている。
【０００３】
ボトル側面に異材質の把手を取り付けた包装用ボトルでは、リサイクル時に把手を取外す必要がある。また胴側部を変形して掴持部を形成した場合には、そのままリサイクルすることができるが、掴持部によって通常形態の薄肉ボトルよりも容量が減少するので、同一容量の薄肉ボトルとの対比では大型となり、成形の難しさからロスも生じ易いことなどからコスト高となっている。さらにくびれ部による掴持では、指掛かりがないので滑り易く、強く掴むと変形して内容液を圧迫し、注ぎ口から噴出させることがある。
【０００４】
この発明は、上記事情から考えられたものであって、その目的は、薄肉ボトルの肩部と胴部との境界周囲を、指掛かりを有する掴持部に形成することにより、通常形態の薄肉ボトルを確実に掴持して、持ち運びや内容液の注ぎ出しを行い得る新たな樹脂製薄肉ボトルを提供することにある。
【０００５】
【課題を解決するための手段】
上記目的によるこの発明は、延伸しブロー成形により製造された樹脂製薄肉ボトルにおいて、注ぎ口と一体の肩部と、その下側に連なる胴部との境界周囲を段部に形成し、その段部と段部上方の肩部側壁とを環状リブに形成して両リブ間を帯状の掴持部となし、その掴持部を環状リブにより補強して対称位置に指掛かりとなる複数の凹所を凹設してなる、というものである。
【０００６】
また上記凹所は、横長楕円形の周縁の面内に両側から弯曲して凹設され、その縦断面は弧状で中央部に同心円の複数の環状リブを有するというものである。
【０００７】
【発明の実施の形態】
図中１は丸胴の樹脂製薄肉ボトル（以下薄肉ボトルという）で、注ぎ口２と一体の肩部３と、その下側に連なる有底の胴部４からなる。この薄肉ボトル１は、胴径が１００ｍｍ、高さが３００ｍｍほどの１８００ｍｌボトルで、注ぎ口２を除く肩部３及び胴部４が、薄肉（０．３ｍｍ前後）に延伸ブロー成形されたポリエチレンテレフタレート（ＰＥＴ）などの樹脂からなり、その肩部３と胴部４の境界周囲は段部５に形成してある。
【０００８】
この段部５と指幅程の間隔を置いた段部上方の肩部側壁は環状リブ６，７に形成されており、これにより環状リブ６，７の間を帯状の掴持部８に区画形成している。この掴持部８の壁面は掴み持った際の握力では変形し難いように、４条の並行な環状リブ９により補強してある。
【０００９】
また掴持部８の四方の対称位置には、指掛かりとなる４個の凹所１０が凹設してある。この凹所１０は横長楕円形の周縁１１の面内に、両側からなだらかに比較的に深く弯曲するとともに、縦断面を弧状にして凹設され、その中央部に複数の環状リブ１２が、滑り止めとして同心円に形成してある。なお、凹所１０の凹設個所は図示の４個所に限定されず、対向位置の２箇所或いは等間隔の３個所であってもよい。１３は肩部周壁の環状の補強リブである。
【００１０】
このような　薄肉ボトル１は、肩部３と胴部４の境界周囲を掴持部８として形成されることから、成形コストが特に高くなると言うことがなく、ボトルサイズにも制限を受けないので、その適用範囲は広く醤油等の低価格の商品の包装用ボトルとして採用することができる。
【００１１】
また使用時にあっては、図４に示すように、掴持部８を側方から親指と人差指とで挟んで掴みむと、両側の凹所１０に入り指先が込んで両凹所が指掛かりとなる。さらに凹所１０の周縁１１が横長楕円形で、周縁両側から凹所１０がなだらかに弯曲しているので、指腹が掴持部表面から凹所内の壁面に沿ってよく接し、弱い握力でも掴持部８を確り掴んで胴部４を握ることができる。これにより内容液の重量によって重い薄肉ボトル１でも、横に傾げて内容液の注ぎ出しが容易に行え、手からの滑り落ちが防止されるようになる。
【００１２】
また掴持部８は、上下の環状リブ６，７と面内の補強リブ９とによって剛性が付与されているので、強く掴んでも掴持部８が上下の側壁と共に内側に大きく変形することがない。これにより内容液が満杯に充填されたボトルを掴んで開栓しても、掴持部分の変形による内容液の圧迫により、注ぎ口２から内容液が噴き出て辺りを汚すという、これまでにしばしば見られた現象も防止される。
【００１３】
さらに凹所１０の周壁に形成した環状リング１２が指先の滑り止めとして機能するので、指掛かりが一層確実なものとなる。四方に凹所１０を凹設したものにあっては、どの方向からでも掴持部８を掴めさえすれば、ボトルの向きに左右されることなく指先が凹所１０に掛かって掴持できるので、薄肉ボトル１を無造作に棚や戸棚などに収納しても、使用時に掴持部８を掴んで取り出すことができるので、使い勝手のよいものとなる。
【図面の簡単な説明】
【図１】この発明に係わる包装用延伸ボトルの正面図である。
【図２】同上の斜め側面図である。
【図３】掴持部の平断面図である。
【図４】凹所の縦断面図である。
【図５】掴持状態を示す掴持部の平断面図である。
【符号の説明】
１　　薄肉ボトル
２　　注ぎ口
３　　肩部
４　　胴部
５　　段部
６　　段部の環状リブ
７　　肩部の環状リブ
８　　掴持部
９　　掴持部の環状リブ
１０　　指掛け用の凹所
１１　　凹所の周縁
１２　　凹所の環状リブ
【図１】
2004001847.tif 000003
【図２】
2004001847.tif 000004
【図３】
2004001847.tif 000005
【図４】
2004001847.tif 000006
【図５】
2004001847.tif 000007